(57)【特許請求の範囲】
【請求項１】
櫛歯を適宜間隔に併設してインキ保留部を形成し、軸線に対して平行にインキ導入スリットを設けるとともに、前記インキ導入スリットの対称位置に空気流通溝を設けてなるインキ空気交換部材の中心には導入孔を設け、インキ導入芯を挿嵌し、先端にはペン芯を挿嵌しており、一方開口端とし後部をインキ室とする本体容器の先端に前記インキ空気交換部材を挿設して、前記インキ空気交換部材の後端を本体容器内壁に設けられた段部に当接して固定し、本体容器の開口端にホルダーを嵌着させてなる直液式筆記具において、導入孔周囲の断面に２箇所以上の凹み角部を設けた断面形状でインキ空気交換部材の全ての櫛歯の位置で前記断面形状が設けられており、インキ導入スリット側の断面形状は半円形状で、空気流通溝側の断面形状は四角形状で両者が断面形状を形成したことを特徴とする直液式筆記具。
【請求項２】
櫛歯を適宜間隔に併設してインキ保留部を形成し、軸線に対して平行にインキ導入スリットを設けるとともに、前記インキ導入スリットの対称位置に空気流通溝を設けてなるインキ空気交換部材の中心には導入孔を設け、インキ導入芯を挿嵌し、先端にはペン芯を挿嵌しており、一方開口端とし後部をインキ室とする本体容器の先端に前記インキ空気交換部材を挿設して、前記インキ空気交換部材の後端を本体容器内壁に設けられた段部に当接して固定し、本体容器の開口端にホルダーを嵌着させてなる直液式筆記具において、導入孔周囲の断面に２箇所以上の凹み角部を設けた断面形状でインキ空気交換部材の全ての櫛歯の位置で前記断面形状が設けられており、断面形状を星型形状としたことを特徴とする直液式筆記具。
【請求項３】
櫛歯を適宜間隔に併設してインキ保留部を形成し、軸線に対して平行にインキ導入スリットを設けるとともに、前記インキ導入スリットの対称位置に空気流通溝を設けてなるインキ空気交換部材の中心には導入孔を設け、インキ導入芯を挿嵌し、先端にはペン芯を挿嵌しており、一方開口端とし後部をインキ室とする本体容器の先端に前記インキ空気交換部材を挿設して、前記インキ空気交換部材の後端を本体容器内壁に設けられた段部に当接して固定し、本体容器の開口端にホルダーを嵌着させてなる直液式筆記具において、導入孔周囲の断面に２箇所以上の凹み角部を設けた断面形状でインキ空気交換部材の全ての櫛歯の位置で前記断面形状が設けられており、断面形状を異形多角形としたことを特徴とする直液式筆記具。
【発明の詳細な説明】
【０００１】
【産業上の利用分野】
本発明は、液状インキを本体容器のインキ室に注入し、本体容器の開口端にインキ空気交換部材を挿設してこのインキ空気交換部材の先端にペン芯を挿嵌してなる直液式筆記具、特に万年筆、マーカー、サイペン、水性ボール等の筆記具に関するものである。
【０００２】
【従来の技術】
従来こうした直液式筆記具は、先端にペン芯を有するインキ空気交換部材を本体容器の内部に挿入して、インキ室にインキを有している。
インキ空気交換部材の櫛歯が設けられている断面形状は、中心に中継芯が挿嵌されており、該断面形状は円形状であったり、楕円形状もしくは大きい円と小さい円を半円ずつ結合させたものがそれぞれ存在する。
円形状や楕円形状のものは、インキがインキ導入スリットと中継芯に導かれるが、インキ導入スリットに入ったインキは櫛歯が設けられている位置まで導かれる。すると、インキ保留部でインキは、断面形状に沿って流れ、前記断面形状がスムーズな形状である場合はインキの流れ力がよく、使用しているとすぐにインキ空気交換部材全体に広がってしまう。
【０００３】
また逆に、スムーズな断面形状であるので流れがよく、インキ保持力は良くない状態である。
そして広がったインキは、インキ空気交換部材の先端にまで達して、空気流通口よりインキ漏れとして生じる。
大きい円と小さい円が半円ずつ結合させた断面形状では、該結合部分が角部である記載もないので本発明と異なるものである。
したがって、従来のインキ空気交換部材（インキ調節部材）はインキの流れがよく、早い時期にインキ空気交換部材の先端にインキが達し、インキと空気の交換が出来ず、インキ漏れの原因となる。
【０００４】
【発明が解決しようとする課題】
以上のように本発明は、インキ空気交換部材の先端の空気流通口よりインキ漏れがない直液式筆記具を求めるものである。
特には、インキ空気交換部材のインキの流通を調整し、インキがインキ空気交換部材の内部に十分保持され、空気流通口よりインキ漏れのない、また空気とインキの交換がペン芯からのインキの吐き出しにともなって、順次行なわれることを目的とした直液式筆記具を提供する。
【０００５】
【課題を解決するための手段】
櫛歯を適宜間隔に併設してインキ保留部を形成し、軸線に対して平行にインキ導入スリットを設けるとともに、前記インキ導入スリットの対称位置に空気流通溝を設けてなるインキ空気交換部材の中心には導入孔を設け、インキ導入芯を挿嵌し、先端にはペン芯を挿嵌しており、一方開口端とし後部をインキ室とする本体容器の先端に前記インキ空気交換部材を挿設して、前記インキ空気交換部材の後端を本体容器内壁に設けられた段部に当接して固定し、本体容器の開口端にホルダーを嵌着させてなる直液式筆記具において、導入孔周囲の断面に２箇所以上の凹み角部を設けた断面形状でインキ空気交換部材の全ての櫛歯の位置で前記断面形状が設けられており、インキ導入スリット側の断面形状は半円形状で、空気流通溝側の断面形状は四角形状で両者が断面形状を形成したことを特徴とする直液式筆記具である。
【０００６】
櫛歯を適宜間隔に併設してインキ保留部を形成し、軸線に対して平行にインキ導入スリットを設けるとともに、前記インキ導入スリットの対称位置に空気流通溝を設けてなるインキ空気交換部材の中心には導入孔を設け、インキ導入芯を挿嵌し、先端にはペン芯を挿嵌しており、一方開口端とし後部をインキ室とする本体容器の先端に前記インキ空気交換部材を挿設して、前記インキ空気交換部材の後端を本体容器内壁に設けられた段部に当接して固定し、本体容器の開口端にホルダーを嵌着させてなる直液式筆記具において、導入孔周囲の断面に２箇所以上の凹み角部を設けた断面形状でインキ空気交換部材の全ての櫛歯の位置で前記断面形状が設けられており、断面形状を星型形状としたことを特徴とする直液式筆記具である。
また、櫛歯を適宜間隔に併設してインキ保留部を形成し、軸線に対して平行にインキ導入スリットを設けるとともに、前記インキ導入スリットの対称位置に空気流通溝を設けてなるインキ空気交換部材の中心には導入孔を設け、インキ導入芯を挿嵌し、先端にはペン芯を挿嵌しており、一方開口端とし後部をインキ室とする本体容器の先端に前記インキ空気交換部材を挿設して、前記インキ空気交換部材の後端を本体容器内壁に設けられた段部に当接して固定し、本体容器の開口端にホルダーを嵌着させてなる直液式筆記具において、導入孔周囲の断面に２箇所以上の凹み角部を設けた断面形状でインキ空気交換部材の全ての櫛歯の位置で前記断面形状が設けられており、断面形状を異形多角形としたことを特徴とする直液式筆記具である。
【０００７】
【実施例】
本発明の第１の実施例を図１、図２、図３、図４、図５、図６、図７から詳細に説明する。
１は、本体容器であり一方を閉塞端、他方を開口端とした筒状で内部を液式インキを収納したインキ室２としている。
また、本体容器１の内部には、インキ空気交換部材３を当接保持する段部８を設けている。
３は、インキ空気交換部材であり、ある一定間隔で櫛歯４を多数有し、櫛歯４と櫛歯４の空間をインキ保留部５として設けられている。
前記インキ空気交換部材３は、相対する位置に空気流通溝６とインキ導入スリット７を軸線に対して平行に設けている。インキ導入スリット７は、先端の櫛歯４だけを残してインキ空気交換部材３を軸線に対し平行に貫通しており、前記インキ導入スリット７の後端はインキ室２と連通している。
空気流通溝６は、櫛歯４全体に設けられている。
【０００８】
前記インキ導入スリット７の幅は、０．０５から０．５ｍｍの幅であり、好ましくは、０．１から０．４ｍｍの幅がよい。
前記空気流通溝６はすべての櫛歯４に設けられており、前記インキ導入スリット７、前記空気流通溝６、櫛歯４と櫛歯４より囲まれてなるインキ保留部５によりインキと空気が交換される。
また、断面形状は、空気流通溝６側に少なくとも２箇所以上の凹み角部１３を有しており、該凹み角部１３にインキが流入し、インキの保持力が高められる。
前記断面形状の具体的な形状を示すと、インキ導入スリット７が設けられている側の断面形状には、導入孔９と同心円の半円形状を成している。また、空気流通溝６が設けられている側の断面形状は、四角形状を成している。
従って、第１の実施例の断面形状は、半円形状と四角形状を結合したものとなっている。
【０００９】
断面での面積比較は、空気流通溝６の中心とインキ導入スリット７の中心を通る縦の中心線に直角に交わる横の中心線によってインキ導入スリット７と空気流通溝６の両側になり、櫛歯４の外径とそれぞれ（インキ導入スリット７と空気流通溝６）の側の断面から、空気流通溝６を設けた四角形状の空間部１０Ａの方が、インキ導入スリット７を設けた半円形状の空間部１０Ｂより大きい空間面積を有するものである。この時、櫛歯４と櫛歯４との隙間間隔は同一とする。
更に、インキの保持力を増す凹み角部１３は、四角形状と半円形状の結合部分の２箇所に設けられることになる。
【００１０】
次に第２の実施例の断面形状は、星型形状（５頂形状）となっている。
インキ導入スリット７が設けられている位置には、前記星型形状の頂部が位置しており、下方の頂部（３番頂部）と頂部（４番頂部）の間に空気流通溝６が設けられている。
断面形状での空間面積比較は、インキ導入スリット７と空気流通溝６を通る中心線に対し直角に交わる横の中心線に対し、櫛歯４の外径よりインキ導入スリット７側と空気流通溝６側で分けると、インキ導入スリット７側の空間部１０Ｂは空気流通溝６側での空間部１０Ａより小さい空間面積を有するものである。
更に、星型形状（５頂形状）であるので凹み角部１３は、５箇所設けられており、一層インキ保持力を増すことができる。
【００１１】
次に第３の実施例の断面形状は、インキ導入スリット７と空気流通溝６の中心を通る縦の中心線を対象として同一形状を成している異形多角形である。
凹み角部１３は、５箇所設けられており、インキ導入スリット７に近いほど凹み角部１３の凹み角度は深いものになっており、最も浅い凹み角部１３は空気流通溝６の下方位置に設けられている。
この形状断面はインキの保持が更に強いものとなっている。
まずインキは深い凹み角部１３にインキが保持され、次に中程度の凹み角部１３にインキが保持され、この部分でインキと空気の置換が行なわれる。
インキ導入スリット７側の空間部１０Ｂと空気流通溝６側の空間部１０Ａの大きさは空間部１０Ａの方が大きい空間部面積である。
この時、櫛歯４と櫛歯４の間隔空間は同一である。
【００１２】
インキの流れについては、図８、図９、図１０より詳細に説明する。
インキは、インキ室に開口しているインキ導入スリット７にインキが入るのと同時に、導入孔９に設けられたインキ導入芯１１に毛細管力が働き、これによりインキが吸い込まれる。
更にインキは、インキ導入スリット７から櫛歯４と櫛歯４によって出来る空間部１０へ導かれる。そして、インキ導入スリット７を設けた側と空気流通溝６を設けた側との境界面でインキと空気の交換が生じる。
詳しくは、インキ導入スリット７に入ったインキは、空間部１０Ａより空間部１０Ｂに強く引かれることになるので、前記空間部１０Ｂにインキが保留される。そして、凹み角部１３にインキが入り、ここで空気流通溝６からの空気とインキが置換される。
【００１３】
こうして、インキ導入芯１１の先端へインキを伝達して行きペン芯１２へと到る。
特に、凹み角部１３を設けたことによりインキが保持されやすくなり、更に、空気との置換が該凹み角部１３で生じて境界面が明確になり、少しづつ置換していくことが可能と成る。
こうして、ペン芯１２からのインキのボタ落ち、空気流通口からのインキの吹き出しや漏れを防止する。
【００１４】
【効果】
以上のような構成であるので、インキ空気交換部材３の先端の空気流通口よりインキ漏れがない。
特には、インキ空気交換部材３に凹み角部１３を２箇所以上設けて、更に空間面積比較は、インキ導入スリット７と空気流通溝６を通る中心線に対し直角に交わる横の中心線に対し、櫛歯４の外径よりインキ導入スリット７側と空気流通溝６側で分けると、インキ導入スリット７側の空間面積は空気流通溝６側での空間面積より小さい空間面積を有しているので、よりインキの流通を調整可能とし、インキがインキ空気交換部材３の内部に十分保持され、空気流通口よりインキ漏れのない、また空気とインキの置換がペン芯１２からのインキの吐き出しにともなって、順次行なわれることを可能とした直液式筆記具である。
【００１５】
【図面の簡単な説明】
【図１】本発明の筆記具全体断面図
【図２】本発明の第１の実施例のインキ空気交換部材の拡大図
【図３】本発明の第１の実施例のインキ空気交換部材の左側面図
【図４】本発明の第１の実施例のインキ空気交換部材の右側面図
【図５】本発明の第１の実施例のインキ空気交換部材の拡大断面図
【図６】本発明の第１の実施例のインキ空気交換部材のＡＡ断面図
【図７】本発明の第１の実施例のインキ空気交換部材のＢＢ断面図
【図８】本発明の第１の実施例のインキ空気交換部材のＣＣ断面図（インキ保持状態）
【図９】本発明の第２の実施例のインキ空気交換部材の断面図（第１の実施例のＡＡ断面と同一位置、インキ保持状態）
【図１０】本発明の第３の実施例のインキ空気交換部材の断面図（第１の実施例のＡＡ断面と同一位置、インキ保持状態）
【符号の説明】
１  ：本体容器
２  ：インキ室
３  ：インキ空気交換部材
４  ：櫛歯
５  ：インキ保留部
６  ：空気導入溝
７  ：インキ導入スリット
８  ：段部
９  ：導入孔
１０  ：空間部
１１  ：インキ導入芯
１２  ：ペン芯
１３  ：凹み角部
１４  ：ホルダー
【図１】
0004072238.tif 000002
【図２】
0004072238.tif 000003
【図３】
0004072238.tif 000004
【図４】
0004072238.tif 000005
【図５】
0004072238.tif 000006
【図６】
0004072238.tif 000007
【図７】
0004072238.tif 000008
【図８】
0004072238.tif 000009
【図９】
0004072238.tif 000010
【図１０】
0004072238.tif 000011